(57)【特許請求の範囲】
【請求項１】
光パスの設定に先立って、当該光パスが設定予定の経路に試験用光パケットを送出する手段と、
この試験用光パケットを受信してその信号品質を判定する手段と、
この判定する手段が信号品質の劣化を判定したときには、その旨を前段のノードに通知する手段と、
この通知を受け取るとそれ以降前記経路を経由する光パケットに対して３Ｒ（Ｒｅｓｈａｐｉｎｇ；Ｒｅｔｉｍｉｎｇ；Ｒｅｇｅｎｅｒａｔｉｎｇ）処理を施す手段と
を備えたことを特徴とするノード。
【請求項２】
請求項１記載のノードを備えたことを特徴とする光パスネットワーク。
【請求項３】
情報処理装置にインストールすることにより、その情報処理装置に、ノードを制御する装置に相応する機能として、
光パスの設定に先立って、当該光パスが設定予定の経路に試験用光パケットを送出する機能と、
この試験用光パケットを受信してその信号品質を判定する機能と、
この判定する機能が信号品質の劣化を判定したときには、その旨を前段のルータに通知する機能と、
この通知を受け取るとそれ以降前記経路を経由する光パケットに対して３Ｒ処理を施す機能と
を実現させることを特徴とするプログラム。
【請求項４】
請求項３記載のプログラムが記録された前記情報処理装置読取可能な記録媒体。
【発明の詳細な説明】
【０００１】
【発明の属する技術分野】
本発明は光通信システムに利用する。特に、３Ｒ（Ｒｅｓｈａｐｉｎｇ；Ｒｅｔｉｍｉｎｇ；Ｒｅｇｅｎｅｒａｔｉｎｇ）処理技術に関する。
【０００２】
【従来の技術】
ＩＰ（Ｉｎｔｅｒｎｅｔ  Ｐｒｏｔｏｃｏｌ）網におけるデータ転送では、ノードとしてのルータがＩＰパケットのヘッダ情報を読み取り、その宛先方路に対して当該ＩＰパケットを転送する。これを複数のノード間で繰り返し行い、その結果、ＩＰパケットは所望の宛先に辿り着く。このようなＩＰパケットの転送方法では、個々のＩＰパケット単位で転送が行われるため、個々のＩＰパケットのそれぞれについて、そのヘッダ情報を読み取ることが必要になる。
【０００３】
一方、昨今では、動画データ等の一連の多量データ転送に対する需要が急増している。このような一連の多量データはバーストデータと呼ばれており、多数のＩＰパケットに分割して収容される。このようなバーストデータ転送に対し、その個々のＩＰパケット単位での転送を行っていたのでは非効率的であるため、特定のノード間でカットスルーパスを設定し、このカットスルーパスでは、ＩＰパケットのヘッダ情報を読み取ることなく、一気に転送が行われる。特に、光パスを用いたデータ転送には有効である。
【０００４】
すなわち、ノード間の伝送路に光パスを用いたデータ転送では、各ノードで、光パスを伝送して到来した光信号を電気信号にいったん変換し、ＩＰパケットのヘッダ情報を読み取り、その宛先方路を判定した後に、再度、光信号に変換して再び光パスに送出する処理が必要になる。これに対し、波長パスによるカットスルーパスを用いたデータ転送では、ヘッダ情報を読み取るために、光信号を電気信号にいったん変換する必要がなく、カットスルーパスの始点から終点まで光信号のまま転送できるため、きわめて効率の良いバーストデータ転送を行うことができる。
【０００５】
【発明が解決しようとする課題】
このように、波長パスを用いたバーストデータ転送には最適なカットスルーパスであるが、光信号は伝送中に、さまざまな要因によって信号品質が劣化する。したがって、３Ｒ処理を施さずに信号伝送が可能となるカットスルーパスの長さは必然的に限定される。
【０００６】
従来は、３Ｒ処理を施す箇所を計算により決定していた。この従来の３Ｒ実施箇所決定のための計算には、二つの問題点がある。まず一つは、信号品質劣化の要因はさまざまであり、これら多数の要因を考慮して計算を行うためには、膨大なデータ処理を必要とする。したがって、計算に要する時間が長くかかる点である。二つ目は、このような計算により得られた結果の信頼性は必ずしも高くなく、実用上の安全策として、余分に３Ｒ実施箇所を設けるなどの対策が必要であり、網リソースの有効利用を図る上で望ましくないという点である。
【０００７】
本発明は、このような背景に行われたものであって、３Ｒ実施箇所の設定に要する手間と時間を少なくすることができるとともに、正確な位置を特定することができ、網リソースの有効利用を図ることができるノードおよび光パスネットワークおよびプログラムおよび記録媒体を提供することを目的とする。
【０００８】
なお、本明細書における発側のノードおよび着側のノードとは、データ転送に先立ってパス設定のためのリクエストを送出する側のノードを発側のノードといい、このリクエストの終端先となるノードを着側のノードという。パス設定後におけるデータ転送の際には、発側のノードまたは着側のノードのいずれもがデータ発信元またはデータ受信先になることができる。また、設定されたパスは、単方向パスであっても双方向パスであってもよい。
【０００９】
【課題を解決するための手段】
本発明の第一の観点はノードであって、本発明の特徴とするところは、光パスの設定に先立って、当該光パスが設定予定の経路に試験用光パケットを送出する手段と、この試験用光パケットを受信してその信号品質を判定する手段と、この判定する手段が信号品質の劣化を判定したときには、その旨を前段のノードに通知する手段と、この通知を受け取るとそれ以降前記経路を経由する光パケットに対して３Ｒ処理を施す手段とを備えたところにある。
【００１０】
すなわち、本発明では、波長パスによるカットスルーパスのような光信号のままデータが転送される経路上で、いずれの箇所で３Ｒ処理を行う必要があるかという計算を行う必要がなく、カットスルーパスの設定に要する手間と時間を少なくすることができる。さらに、試験用光パケットを用いて実験的に３Ｒ実施箇所を決定するので、その位置は正確であり、余分な３Ｒ実施箇所を設ける必要もなく、網リソースの有効利用を図ることができる。
【００１１】
本発明の第二の観点は、本発明のノードを備えたことを特徴とする光パスネットワークである。
【００１２】
本発明の第三の観点はプログラムであって、本発明の特徴とするところは、情報処理装置にインストールすることにより、その情報処理装置に、ノードを制御する装置に相応する機能として、光パスの設定に先立って、当該光パスが設定予定の経路に試験用光パケットを送出する機能と、この試験用光パケットを受信してその信号品質を判定する機能と、この判定する機能が信号品質の劣化を判定したときには、その旨を前段のルータに通知する機能と、この通知を受け取るとそれ以降前記経路を経由する光パケットに対して３Ｒ処理を施す機能とを実現させるところにある。
【００１３】
本発明の第四の観点は、本発明のプログラムが記録された前記情報処理装置読取可能な記録媒体である。本発明のプログラムは本発明の記録媒体に記録されることにより、前記情報処理装置は、この記録媒体を用いて本発明のプログラムをインストールすることができる。あるいは、本発明のプログラムを保持するサーバからネットワークを介して直接前記情報処理装置に本発明のプログラムをインストールすることもできる。
【００１４】
これにより、コンピュータ装置等の情報処理装置を用いて、３Ｒ実施箇所の設定に要する手間と時間を少なくすることができるとともに、正確な位置を特定することができ、網リソースの有効利用を図ることができるノードおよび光パスネットワークを実現することができる。
【００１５】
【発明の実施の形態】
（第一実施例）
本発明第一実施例のノードおよび光パスネットワークを図１および図２を参照して説明する。図１は第一実施例の光パスネットワークの構成図である。図２は第一実施例のノードのブロック構成図である。
【００１６】
第一実施例は、図１および図２に示すように、光パスの設定に先立って、当該光パスが設定予定の経路に試験用光パケットを送出する試験用光パケット送出部１と、この試験用光パケットを受信してその信号品質を判定する信号品質判定部４と、この信号品質判定部４が信号品質の劣化を判定したときには、その旨を前段のノードに通知する劣化通知部５と、この通知を受け取るとそれ以降前記経路を経由する光パケットに対して３Ｒ処理を施す３Ｒ用トランク３および３Ｒ制御部６とを備えたことを特徴とするノードである。
【００１７】
図１は説明をわかりやすくするために、各ノードＡ〜Ｃ毎に異なるブロック構成を図示したが、実際には、図２に示すように、各ノードＡ〜Ｃは共通のブロック構成を有し、自ノードの役割に応じて図１に示すように、必要となるブロック構成を実現する。
【００１８】
図１を参照して第一実施例の光パスネットワークの動作を説明する。発側のノードＡの試験用光パケット送出部１は、光パスの設定に先立って、当該光パスが設定予定の経路に試験用光パスを送出する。この試験用光パケットは各ノードの信号品質判定部４により信号品質が判定される。ノードＣの信号品質判定部４で、信号品質の劣化が検出されると、劣化通知部５は、その旨を前段のノードＢに通知する。劣化通知を受け取ったノードＢの３Ｒ制御部６は、光クロスコネクト２を制御して当該試験用光パケットの経路を３Ｒ用トランク３に接続する。これにより、当該経路を伝送されるデータに対して３Ｒ処理が施される。
【００１９】
ノードＡ〜Ｃを経由する経路には試験用光パケットによる試験終了後に、カットスルーパスが設定され、バーストデータ転送が行われる。カットスルーパスによるバーストデータ転送では、発側のノードＡからノードＢまでの間は、光信号を電気信号に変換することなく、データ転送が行われる。ノードＢでは、光信号がいったん電気信号に変換されて３Ｒ処理が施され、３Ｒ処理が施された電気信号は再び光信号に変換されてノードＣに送出される。
【００２０】
このように、本実施例では、試験用光パケットにより実験的に３Ｒ処理を施す箇所を特定することができるため、従来のように、計算により３Ｒ処理を施す箇所を特定するよりも簡単かつ確実であり、計算に要する時間を省くことができる。
【００２１】
（第二実施例）
本発明第二実施例を図３を参照して説明する。図３は第二実施例の３Ｒ処理構成を示す図である。第二実施例の３Ｒ処理構成は、光クロスコネクト２の出力ポートのいずれかに３Ｒ用トランク３−１および３−２を設置することを特徴とする。これによれば、第一実施例のように、３Ｒ処理を施す経路がループバックしないので、第一実施例の構成と比較して波長変換の回数を少なくすることができ、信号の損失および劣化を低く抑えることができる利点がある。
【００２２】
また、第一実施例では、特定の入出力ポートを３Ｒ用トランク３が占有してしまうが、第二実施例では、３Ｒ用トランク３−１および３−２が設置された出力ポートがそのまま伝送路に接続されており、３Ｒ用トランク３−１および３−２を設置したことにより、伝送路に接続された出力ポート数が減少するといったことを回避し、出力ポートを有効に利用することができる。
【００２３】
（第三実施例）
本実施例のノードは、情報処理装置であるコンピュータ装置を用いて実現することができる。すなわち、コンピュータ装置にインストールすることにより、そのコンピュータ装置に、ノードを制御する装置に相応する機能として、光パスの設定に先立って、当該光パスが設定予定の経路に試験用光パケットを送出する試験用光パケット送出部１に相応する機能と、この試験用光パケットを受信してその信号品質を判定する信号品質判定部４に相応する機能と、この信号品質判定部４が信号品質の劣化を判定したときには、その旨を前段のルータに通知する劣化通知部５に相応する機能と、この通知を受け取るとそれ以降前記経路を経由する光パケットに対して３Ｒ処理を施す３Ｒ制御部６に相応する機能とを実現させるプログラムをコンピュータ装置にインストールすることにより、そのコンピュータ装置を本実施例のノードを制御する装置に相応する装置とすることができる。
【００２４】
本実施例のプログラムは本実施例の記録媒体に記録されることにより、コンピュータ装置は、この記録媒体を用いて本実施例のプログラムをインストールすることができる。あるいは、本実施例のプログラムを保持するサーバからネットワークを介して直接コンピュータ装置に本実施例のプログラムをインストールすることもできる。
【００２５】
これにより、コンピュータ装置を用いて、３Ｒ実施箇所の設定に要する手間と時間を少なくすることができるとともに、正確な位置を特定することができ、網リソースの有効利用を図ることができるノードおよび光パスネットワークを実現することができる。
【００２６】
【発明の効果】
以上説明したように、本発明によれば、３Ｒ実施箇所の設定に要する手間と時間を少なくすることができるとともに、正確な位置を特定することができ、網リソースの有効利用を図ることができる。
【図面の簡単な説明】
【図１】第一実施例の光パスネットワーク構成を示す図。
【図２】第一実施例のノードのブロック構成図。
【図３】第二実施例の３Ｒ処理構成を示す図。
【符号の説明】
１  試験用光パケット送出部
２  光クロスコネクト
３、３−１、３−２  ３Ｒ用トランク
４  信号品質判定部
５  劣化通知部
６  ３Ｒ制御部
Ａ〜Ｃ  ノード
【図１】
0003634316.tif 000002
【図２】
0003634316.tif 000003
【図３】
0003634316.tif 000004